(57)【要約】【課題】アイコンに関連付けられた機能の設定内容を簡単に確認することができる情報処理装置を提供する。【解決手段】携帯電話１０は、アイコン２２を表示するタッチパネルディスプレイ１２と、タッチパネルディスプレイ１２へ表示されたアイコン２２のタッチ時間Ｔを検出する検出部１４と、タッチ時間Ｔが予め定めた閾値１未満の場合に、アイコン２２に関連付けられた機能の設定を行うための設定画面Ｓをタッチパネルディスプレイ１２に表示させると共に、タッチ時間Ｔが閾値１以上の場合に、アイコン２２に関連付けられた機能の設定内容を報知するための報知画面Ｎをタッチパネルディスプレイ１２に表示させる制御部１８と、を備えている。【選択図】図３
2011204175.tif 000002
【特許請求の範囲】
【請求項１】
アイコンを表示するタッチパネルディスプレイと、
前記タッチパネルディスプレイへ表示された前記アイコンへのタッチ時間を検出する検出手段と、
前記検出手段で検出された前記タッチ時間に応じて、前記アイコンに関連付けられた機能の設定内容を報知するための報知画面を前記タッチパネルディスプレイに表示させる制御手段と、
を備えたことを特徴とする情報処理装置。
【請求項２】
前記制御手段は、前記タッチ時間が予め定めた閾値未満の場合に、前記アイコンに関連付けられた機能の設定を行うための設定画面を前記タッチパネルディスプレイに表示させ、前記タッチ時間が前記閾値以上の場合に、前記報知画面を前記タッチパネルディスプレイに表示させることを特徴とする請求項１に記載の情報処理装置。
【請求項３】
前記制御手段は、前記タッチ時間が予め定めた閾値未満の場合に、前記報知画面を前記タッチパネルディスプレイに表示させ、前記タッチ時間が前記閾値以上の場合に、前記アイコンに関連付けられた機能の設定を行うための設定画面を前記タッチパネルディスプレイに表示させることを特徴とする請求項１に記載の情報処理装置。
【請求項４】
前記制御手段は、前記アイコンに関連付けられた機能の設定内容を前記報知画面として表示させるか否かの設定を行うための前記設定画面を表示させることを特徴とする請求項２又は３に記載に情報処理装置。
【請求項５】
前記制御手段は、前記報知画面を前記アイコンに関連付けて表示させることを特徴とする請求項１〜４の何れか一項に記載の情報処理装置。
【請求項６】
アイコンを表示するタッチパネルディスプレイを備えた情報処理装置における表示方法であって、
前記タッチパネルディスプレイへ表示された前記アイコンへのタッチ時間を検出する検出ステップと、
前記検出ステップで検出された前記タッチ時間に応じて、前記アイコンに関連付けられた機能の設定内容を報知するための報知画面を前記タッチパネルディスプレイに表示させる表示ステップと、
を備えたことを特徴とする表示方法。
【請求項７】
前記表示ステップでは、前記タッチ時間が予め定めた閾値未満の場合に、前記アイコンに関連付けられた機能の設定を行うための設定画面を前記タッチパネルディスプレイに表示させ、前記タッチ時間が前記閾値以上の場合に、前記報知画面を前記タッチパネルディスプレイに表示させることを特徴とする請求項６に記載の表示方法。
【請求項８】
前記表示ステップでは、前記タッチ時間が予め定めた閾値未満の場合に、前記報知画面を前記タッチパネルディスプレイに表示させ、前記タッチ時間が前記閾値以上の場合に、前記アイコンに関連付けられた機能の設定を行うための設定画面を前記タッチパネルディスプレイに表示させることを特徴とする請求項６に記載の表示方法。
【発明の詳細な説明】
【技術分野】
【０００１】
本発明は、情報処理装置及び表示方法に関する。
【背景技術】
【０００２】
タッチパネル式のディスプレイ（以下「タッチパネルディスプレイ」と記す）上の待ち受け画面に、ユーザが任意に選択した機能をアイコンとして表示することができる移動通信端末が知られている（例えば特許文献１）。このような移動通信端末には、例えば、タッチパネルディスプレイ上に表示されたアイコンの状態を確認することで、そのアイコンに関連付けられた特定の機能が稼働状態（ＯＮ状態）となっているか否かを知ることができるものがある。
【先行技術文献】
【特許文献】
【０００３】
【特許文献１】特開２００９−２１７８１５号公報
【発明の概要】
【発明が解決しようとする課題】
【０００４】
ところで、上述した移動通信端末では、アイコンに関連付けられた機能が稼働状態（ＯＮ状態）となっているか否かを知ることはできるものの、アイコンに関連付けられた機能の詳細な設定情報、例えばアラーム機能の場合における鳴動時間等の設定情報を、待ち受け画面上で確認することはできなかった。このため、ユーザが詳細な設定情報を確認したい場合には、そのアイコンにタッチし、そのアイコンが示す機能の設定を行うための設定画面に表示画面をわざわざ遷移して、確認をする必要があった。
【０００５】
そこで、本発明は、アイコンに関連付けられた機能の設定内容を簡単に確認することができる情報処理装置及び表示方法を提供することを目的とする。
【課題を解決するための手段】
【０００６】
上記の課題を解決するために、本発明に係る情報処理装置は、アイコンを表示するタッチパネルディスプレイと、タッチパネルディスプレイへ表示されたアイコンへのタッチ時間を検出する検出手段と、検出手段で検出されたタッチ時間に応じて、アイコンに関連付けられた機能の設定内容を報知するための報知画面をタッチパネルディスプレイに表示させる制御手段と、を備えたことを特徴としている。
【０００７】
また、上記課題を解決するために、本発明に係る表示方法は、アイコンを表示するタッチパネルディスプレイを備えた情報処理装置における表示方法であって、前記タッチパネルディスプレイへ表示された前記アイコンへのタッチ時間を検出する検出ステップと、前記検出ステップで検出された前記タッチ時間に応じて、前記アイコンに関連付けられた機能の設定内容を報知するための報知画面を前記タッチパネルディスプレイに表示させる表示ステップと、を備えたことを特徴としている。
【０００８】
この情報処理装置又は表示方法によれば、アイコンへのタッチ時間に応じて、アイコンに関連付けられた機能の設定内容を報知するための報知画面をタッチパネルディスプレイに表示させるようになっている。この場合、アイコンへタッチするといった簡単な操作を行うだけで、アイコンに関連付けられた機能の設定内容が報知画面として表示されるので、ユーザは、その機能の設定内容を簡単に確認することができる。
【０００９】
上記情報処理装置では、制御手段は、タッチ時間が予め定めた閾値未満の場合に、アイコンに関連付けられた機能の設定を行うための設定画面をタッチパネルディスプレイに表示させ、タッチ時間が閾値以上の場合に、報知画面をタッチパネルディスプレイに表示させるようにしてもよい。また、上記表示方法において、表示ステップでは、タッチ時間が予め定めた閾値未満の場合に、アイコンに関連付けられた機能の設定を行うための設定画面をタッチパネルディスプレイに表示させ、タッチ時間が閾値以上の場合に、報知画面をタッチパネルディスプレイに表示させるようにしてもよい。
【００１０】
これらの場合、アイコンへの閾値未満の短押しによって設定画面を表示できることに加え、アイコンへの閾値以上の長押しといった簡単な操作を行うだけで報知画面を表示できるので、ユーザは、その機能の設定内容をより簡単に確認することができる。しかも、設定画面の場合には次に操作入力が必要となるためその選択には短押しが好ましい一方、報知画面の場合には操作入力が不要であるためその選択には長押しでも問題ないが、上記した装置構成又は表示方法であれば、このような状況を反映することができるので、それぞれの操作をスムーズに行うことができる。
【００１１】
上記情報処理装置では、制御手段は、タッチ時間が予め定めた閾値未満の場合に、報知画面をタッチパネルディスプレイに表示させ、タッチ時間が閾値以上の場合に、アイコンに関連付けられた機能の設定を行うための設定画面をタッチパネルディスプレイに表示させるようにしてもよい。また、上記表示方法において、表示ステップでは、タッチ時間が予め定めた閾値未満の場合に、報知画面をタッチパネルディスプレイに表示させ、タッチ時間が閾値以上の場合に、アイコンに関連付けられた機能の設定を行うための設定画面をタッチパネルディスプレイに表示させるようにしてもよい。これらの場合、アイコンへの閾値以上の長押しによって設定画面を表示できることに加え、アイコンへの閾値未満の短押しといった簡単な操作を行うだけで報知画面を表示できるので、ユーザは、その機能の設定内容をより簡単に確認することができる。
【００１２】
上記情報処理装置では、制御手段は、アイコンに関連付けられた機能の設定内容を報知画面として表示させるか否かの設定を行うための設定画面を表示させるようにしてもよい。この場合、報知画面として表示させるか否かの設定をユーザ自身が行うことができる。
【００１３】
上記情報処理装置では、制御手段は、報知画面をアイコンに関連付けて表示させるようにしてもよい。この場合、ユーザは、報知画面が表している情報とアイコンとの関係を感覚的に認識することができる。
【発明の効果】
【００１４】
本発明によれば、アイコンに関連付けられた機能の設定内容を簡単に確認することができる。
【図面の簡単な説明】
【００１５】
【図１】タッチパネルディスプレイを備えた携帯電話の一例を示す平面図である。
【図２】携帯電話のハードウェア構成を示す図である。
【図３】携帯電話の機能構成を示すブロック図である。
【図４】携帯電話の待ち受け画面を示す図である。
【図５】機能の設定情報を報知するための報知画面の例を示す図である。
【図６】機能の設定を行うための設定画面の例を示す図である。
【図７】携帯電話での表示方法を示すフローチャートである。
【図８】携帯電話での設定方法を示すフローチャートである。
【発明を実施するための形態】
【００１６】
以下、図面を参照して、本発明に係る好適な実施形態について詳細に説明する。なお、図面の説明において、可能な場合には、同一要素には同一符号を付し、重複する説明を省略する。
【００１７】
本実施形態に係る携帯電話１０は、図１に示されるように、液晶ディスプレイから構成される表示画面上にタッチパネルが配設されたタッチパネルディスプレイ１２を含んで構成される。本実施形態では、以下、携帯電話１０を例にとって説明するが、タッチパネルディスプレイ１２を備えた情報処理装置であればよく、携帯電話に限らず、タッチパネル型のパーソナルコンピュータや音楽プレーヤーなどに本発明を適用してもよい。
【００１８】
携帯電話１０は、図２に示されるように、物理的には、ＣＰＵ１０ａ、ＲＡＭ１０ｂ、ＲＯＭ１０ｃ、入力装置１０ｄ、出力装置１０ｅ、通信装置１０ｆ及び記録装置１０ｇを備えており、これらはバス１０ｈに接続されている。ＣＰＵ１０ａは、ＲＯＭ１０ｃや記録装置１０ｇ等の内蔵メモリに格納された所定のコンピュータソフトウェア（図７，８に示す携帯電話１０の行う処理を実行するためのコンピュータプログラム等を含む）をＲＡＭ１０ｂにロードして実行することにより、携帯電話１０を統括的に制御する。
【００１９】
入力装置１０ｄは、タッチパネル等からなる入力用デバイスであり、入力されたデータをＣＰＵ１０ａに出力する。出力装置１０ｅは、ＬＣＤ等の表示装置やスピーカ等の音声出力装置であり、ＣＰＵ１０ａから入力された画像情報等を表示画面に表示する。通信装置１０ｆは、通信網等を介して他の携帯電話との間で通話や通信を行うためのインターフェイスを有する。記録装置１０ｇは、ＣＰＵ１０ａの実行可能なコンピュータソフトウェアを格納する。後述する各機能は、ＣＰＵ１０ａがＲＯＭ１０ｃや記録装置１０ｇ等に格納されたコンピュータソフトウェアを実行し、図２に示す携帯電話１０の各構成部を動作させることにより実現される機能である。
【００２０】
続いて、図３を参照して、携帯電話１０の機能構成について説明する。携帯電話１０は、機能的には、タッチパネルディスプレイ１２、検出部１４（検出手段）、タイマ１６、制御部１８（制御手段）及び記憶部２０を備えている。
【００２１】
タッチパネルディスプレイ１２は、ＬＣＤ等の表示画面とタッチパネル部とを含んで構成される。表示画面には制御部１８による表示制御により各種の画像情報（例えばアイコン等）が表示される。タッチパネル部は、この表示画面の略全面を覆おうように配置される。タッチパネル部は、表示画面上に配置された際に表示画面に表示される各種情報が視認できる程度の透明度を有しており、入力の検出方式としては、抵抗膜方式、表面弾性波方式や静電容量方式などが適宜、選択され得る。
【００２２】
このような構成を備えたタッチパネルディスプレイ１２は、図４に示されるように、制御部１８の制御に基づいて、アイコン２２ａ〜２２ｅを待ち受け画面上に表示する。これらアイコン２２の内、アイコン２２ａは、携帯電話１０の電池容量を表し、アイコン２２ｂは、携帯電話１０の電波状況を表す。また、これらアイコン２２の内、アイコン２２ｃ〜２２ｅは、各機能と関連付けられてその状態を表すアイコンであり、例えば、アイコン２２ｃは、「マナーモード」や「バイブレータ」といったモード変更機能を表している。また、アイコン２２ｄは、アラーム機能を表し、アイコン２２ｅは、通信機能を表している。また、タッチパネルディスプレイ１２は、アイコン２２に加え、後述する設定画面Ｓや報知画面Ｎなどを制御部１８の制御に基づいて表示する（図５及び図６参照）。
【００２３】
タッチパネルディスプレイ１２は、ユーザの指Ｆ等によってアイコン２２ａ〜２２ｅの内、何れかのアイコン２２へのタッチ操作（押下げ操作）が行われた場合、そのタッチ操作に伴って発生する出力信号を検出部１４及び制御部１８に出力する。この出力信号には、押下げがされたアイコン２２の特定情報とそのタッチ時間を示す情報が含まれている。
【００２４】
検出部１４は、タッチパネルディスプレイ１２に表示された各アイコン２２ａ〜２２ｅに対してユーザがタッチ操作を行った場合に、各アイコン２２ａ〜２２ｅに対するタッチ時間Ｔを検出する部分である。検出部１４は、アイコン２２に対するタッチ操作に伴って発生する出力信号をタッチパネルディスプレイ１２から取得すると、その出力信号からタッチ時間Ｔを検出する。このタッチ時間Ｔの検出は、タイマ１６を用いて行われる。検出部１４は、検出されたタッチ時間Ｔのデータを、その押下げが行われたアイコン２２を特定する情報と共に制御部１８に出力する。
【００２５】
制御部１８は、検出部１４から入力されたタッチ時間Ｔが予め定めた閾値である１秒以上（長押し）の場合に、そのタッチ時間Ｔに対応するアイコン２２に関連付けられた機能の設定内容を報知するための報知画面Ｎをタッチパネルディスプレイ１２に表示させる部分である。このような報知画面Ｎとしては、図５に示されるように、モード変更機能の設定内容を示す「モード設定情報Ｎ１」や、アラーム機能の設定内容を示す「アラーム設定情報Ｎ２」や、通信機能の設定内容を示す「通信設定情報Ｎ３」といった各種の報知画面があり、待ち受け画面上に、その機能に含まれる各項目とその設定情報が表示されるようになっている。
【００２６】
例えば、図５（ａ）に示される「モード設定情報Ｎ１」では、マナーモードがＯＮ又はＯＦＦのいずれであるか、バイブレータがＯＮ又はＯＦＦのいずれであるか、伝言メモがＯＮ又はＯＦＦのいずれであるか、ボタン確認音がＯＮ又はＯＦＦのいずれであるかが示されるようになっている。図５（ｂ）に示される「アラーム設定情報Ｎ２」では、アラーム設定がＯＮ又はＯＦＦのいずれであるか、アラーム時刻が何時であるか、アラームを行う曜日（繰り返し）がいつであるか、アラーム音はどれを選択するか、アラーム音量はどのレベルにするか、スヌーズがＯＮ又はＯＦＦのいずれであるかが示されるようになっている。
【００２７】
図５（ｃ）に示される「通信設定情報Ｎ３」には、通信モードがＯＮ又はＯＦＦのいずれであるか、ＭＴＰ（Media Transfer Protocol）モードがＯＮ又はＯＦＦのいずれであるか、ＭｉｃｒｏＳＤモードがＯＮ又はＯＦＦのいずれであるかが示されるようになっている。これら報知画面Ｎ１〜Ｎ３に含まれる各項目とその設定情報のデータは、後述する設定画面Ｓを介して設定・変更されるものであり、記憶部２０に記憶される。なお、本実施形態では、報知画面Ｎ１〜Ｎ３は、対応するアイコン２２ｃ〜２２ｅに関連付けられた形で待ち受け画面上に表示されているが、アイコンと関連付けずに単に表示するようにしてもよい。
【００２８】
また、制御部１８は、検出部１４から入力されたタッチ時間Ｔが予め定めた閾値である１秒未満（短押し）の場合に、そのタッチ時間Ｔに対応するアイコン２２に関連付けられた機能の設定を行うための設定画面Ｓをタッチパネルディスプレイ１２の待ち受け画面上に表示させる部分である。アラーム機能の設定を例にとって説明すると（図６参照）、このような設定画面Ｓとしては、アラーム機能を示すアイコン２２ｄが短押しされた場合（同図（ａ）参照）に現れる第一の設定画面Ｓ１がある（同図（ｂ）参照）。この第一の設定画面Ｓ１では、アラーム機能に含まれる各小機能「アラーム」、「スケジュール」、「ＴｏＤｏ」、「視聴予約」及び「録画予約」のいずれかを選択して設定作業を行えるようになっている。
【００２９】
また、設定画面Ｓとしては、第一の設定画面Ｓ１で例えば「アラーム」が選択操作された場合に現れる第二の設定画面Ｓ２がある（同図（ｃ）参照）。第二の設定画面Ｓ２では、アラーム設定、時刻、繰り返し、アラーム音、アラーム音量、スヌーズといった具体的な設定情報をそれぞれ設定することができるようになっている。また、設定画面Ｓとしては、第二の設定画面Ｓ２で設定が終了した後に現れる第三の設定画面Ｓ３がある（同図（ｄ）参照）。第三の設定画面Ｓ３では、第二の設定画面Ｓ２で設定した内容を、設定情報（報知画面Ｎ）として表示させるか否かを設定できるようになっている。第三の設定画面Ｓ３において、「ＹＥＳ」を選択すると、設定した情報が前述した報知画面Ｎとして表示されるようになる。一方、第三の設定画面Ｓ３において、「ＮＯ」を選択すると、設定した情報が報知画面Ｎとして表示されない。なお、本実施形態では、「スケジュール」等の他の項目に係る設定情報は表示されないように設定されているが、これらを表示させるようにしてもよく、その場合に用いる第二の設定画面Ｓ２は同様のものを適宜、項目毎に変更したものを用いることができる。
【００３０】
続いて、上述した構成を備えた携帯電話１０における表示方法及び設定方法について、図７及び図８を参照して詳細に説明する。
【００３１】
まず、携帯電話１０の電源がＯＮ状態にされると、タッチパネルディスプレイ１２の待ち受け画面上にアイコン２２ａ〜２２ｅを表示させ、それと共に、タッチパネルディスプレイ１２の押下げ検出機能を起動させる（ステップＳ１）。そして、アイコン２２ａ〜２２ｅに対する押下げ（タッチ）の検出を開始する。
【００３２】
続いて、アイコン２２ａ〜２２ｅの内、何れかのアイコン２２に対してタッチ操作が行われると、検出部１４ではそのタッチ時間Ｔを検出し、制御部１８によって、検出されたタッチ時間Ｔが、閾値である１秒以上であるか、それとも、１秒未満であるかが判定される（ステップＳ２）。ステップＳ２での判定の結果、タッチ時間Ｔが、閾値である１秒以上（長押し）である場合には、アイコン２２の報知画面Ｎをタッチパネルディスプレイ１２に表示させ（ステップＳ３）、押下げが検出されなくなるまで、その表示を続ける（ステップＳ４）。そして、ステップＳ４で押下げが検出されなくなった場合、ステップＳ５に進んで、報知画面Ｎの表示を終了する。
【００３３】
一方、タッチ時間Ｔが、閾値である１秒未満である場合には、ステップＳ６に進んで、機能設定のための処理を行う。機能設定のための処理では、図８に示されるように、まず、アイコン２２の第一の設定画面Ｓ１（図６（ｂ）参照）をタッチパネルディスプレイ１２に表示させ（ステップＳ１１）、第一の設定画面Ｓ１に示される各小機能の内、いずれの小機能（例えば「アラーム」）が選択されたか否かを判定する。そして、選択された小機能に対応する第二の設定画面Ｓ２（図６（ｃ）参照）をタッチパネルディスプレイ１２に表示させる（ステップＳ１２）。
【００３４】
ステップＳ１２で表示される第二の設定画面Ｓ２は、具体的な設定情報をそれぞれ設定するための設定画面であり、選択された小機能における各種の設定情報を適宜、設定・変更できるようになっている。そして、ステップＳ１２において各種の設定情報が設定変更された場合には、ステップＳ１３で変更ありとの判定が行われて、変更内容の記録及び更新が行われ（ステップＳ１４）、その一方、ステップＳ１２で各種の設定情報が設定変更されなかった場合には、新たな記録が行われない。
【００３５】
続いて、第二の設定画面Ｓ２での具体的な設定情報の設定が終了すると、ステップＳ１５に進み、第三の設定画面Ｓ３（図６（ｄ）参照）をタッチパネルディスプレイ１２に表示させる。第三の設定画面Ｓ３では、第二の設定画面Ｓ２で設定した内容を、設定情報（報知画面Ｎ）として表示させるか否かを設定できるようになっている。第三の設定画面Ｓ３において、報知画面Ｎの対象として設定すると選択されると（ステップＳ１６）、ステップＳ１７に進んで、報知画面Ｎの対象として設定記録される。これにより、機能設定の処理が終了する。
【００３６】
このように、本実施形態によれば、携帯電話１０では、機能設定のための設定画面Ｓを表示する機能に加え、アイコン２２へのタッチ時間Ｔが閾値１以上の場合に、アイコン２２に関連付けられた機能の設定内容を報知するための報知画面Ｎをタッチパネルディスプレイ１２に表示するようになっている。このため、アイコン２２に対して閾値１以上のタッチ時間Ｔとなるように長押しをするといった簡単な操作を行うだけで、アイコン２２に関連付けられた機能の設定内容が報知画面Ｎとして表示されるので、ユーザは、その機能の設定内容を簡単に確認することができる。その一方、本実施形態によれば、アイコン２２に対して閾値１未満のタッチ時間Ｔとなるように短押しをするといった簡単な操作を行うだけで、機能設定を行うための報知画面Ｎが表示されるので、ユーザは、機能設定を簡単に行うこともできる。しかも、設定画面Ｓの場合には次に操作入力が必要となるためその選択には短押しが好ましい一方、報知画面Ｎの場合には操作入力が不要であるためその選択には長押しでも問題ないが、本実施形態に係る装置又は表示方法であれば、このような状況を反映することができるので、それぞれの操作をスムーズに行うことができる。
【００３７】
また、携帯電話１０では、制御部１８が、報知画面Ｎをアイコン２２に関連付けて表示させるようになっている。このため、ユーザは、報知画面Ｎが表している情報とアイコン２２との関係を感覚的に認識することができる。
【００３８】
また、携帯電話１０では、制御部１８が、アイコン２２に関連付けられた機能の設定内容を報知画面Ｎとして表示させるか否かの設定を行うための第三の設定画面Ｓ３を表示させるようになっている。このため、報知画面Ｎとして表示させるか否かの設定をユーザ自身が行うことができる。
【００３９】
以上、本発明をその実施形態に基づき具体的に説明したが、本発明は、上記実施形態に限定されるものではない。例えば、上記実施形態では、タッチ時間Ｔをタッチパネルディスプレイ１２からの信号に基づいて検出するようにしていたが、タッチパネルディスプレイ１２の下部に圧力センサを別途、設け、この圧力センサでタッチ時間Ｔを算出するようにしてもよい。また、上記実施形態では、短押しか長押しかを判定するための閾値を１に設定したが、他の閾値を設定してももちろんよい。また、アイコン２２の数や形状は、本発明の趣旨を逸脱しない範囲で、適宜、変更することができる。
【００４０】
また、上記実施形態では、タッチ時間Ｔが予め定めた閾値未満の場合に設定画面Ｓを表示させ、タッチ時間Ｔが閾値以上の場合に報知画面Ｎを表示させるようにしていたが、逆に、制御部１８の表示制御により、タッチ時間Ｔが予め定めた閾値未満の場合に報知画面Ｎをタッチパネルディスプレイ１２に表示させ、タッチ時間Ｔが閾値以上の場合に設定画面Ｓをタッチパネルディスプレイ１２に表示させるようにしてももちろんよい。このような場合であっても、アイコンへの閾値以上の長押しによって設定画面Ｓを表示できることに加え、アイコンへの閾値未満の短押しといった簡単な操作を行うだけで報知画面Ｎを表示できるので、ユーザは、その機能の設定内容をより簡単に確認することができる。
【符号の説明】
【００４１】
１０…携帯電話、１２…タッチパネルディスプレイ、１４…検出部、１８…制御部、２２…アイコン、Ｎ１〜Ｎ３…報知画面、Ｓ１〜Ｓ３…設定画面。
【図１】
2011204175.tif 000003
【図２】
2011204175.tif 000004
【図３】
2011204175.tif 000005
【図４】
2011204175.tif 000006
【図５】
2011204175.tif 000007
【図６】
2011204175.tif 000008
【図７】
2011204175.tif 000009
【図８】
2011204175.tif 000010